(57)【要約】【課題】  限られた登録数の中でも放送番組の選択の幅を可能な限り広げることができる地上デジタル放送受信装置を提供する。【解決手段】  地上デジタル放送受信装置は、予め定められた数以内で、未登録のチャンネルの各々について、既に登録されているチャンネルとの間で放送番組が重複する度合を評価し（ステップＳ８０２）、重複する度合が低いと評価されたチャンネルから優先的に登録する（ステップＳ８０３）。【選択図】  図１１
2004312718.tif 000002
【特許請求の範囲】
【請求項１】
複数の選局対象となるチャンネルを、予め定められた数以内で登録する地上デジタル放送受信装置であって、
未登録のチャンネルの各々について、既に登録されているチャンネルとの間で放送番組の重複する度合を評価する評価手段と、
前記評価手段により重複する度合が低いと評価されたチャンネルから優先的に登録する登録手段と
を備えることを特徴とする地上デジタル放送受信装置。
【請求項２】
前記評価手段は、
複数のチャンネルの各々について、そのチャンネルを放送する事業者を識別する事業者識別情報を取得する取得手段と、
既に登録されているチャンネルの中に事業者識別情報が一致するチャンネルが含まれていれば放送番組の重複する度合が高いと判定し、さもなければ放送番組の重複する度合が低いと判定する判定手段と
を含むことを特徴とする請求項１に記載の地上デジタル放送受信装置。
【請求項３】
前記評価手段は、
複数のチャンネルの各々について、そのチャンネルを放送する事業者の系列を識別する系列識別情報を取得する取得手段と、
既に登録されているチャンネルの中に系列識別情報が一致するチャンネルが含まれていれば放送番組の重複する度合が高いと判定し、さもなければ放送番組の重複する度合が低いと判定する判定手段と
を含むことを特徴とする請求項１に記載の地上デジタル放送受信装置。
【請求項４】
前記地上デジタル放送受信装置は、複数の放送地域をそれぞれ識別する放送地域識別情報を複数のグループに分類して記憶しており、
前記評価手段は、
複数のチャンネルの各々について、そのチャンネルの事業者が放送の対象とする地域を識別する放送地域識別情報を取得する取得手段と、
既に登録されているチャンネルの中に同一グループに属する放送地域識別情報のチャンネルが含まれていれば放送番組の重複する度合が高いと判定し、さもなければ放送番組の重複する度合が低いと判定する判定手段と
を含むことを特徴とする請求項１に記載の地上デジタル放送受信装置。
【請求項５】
前記評価手段は、
ユーザが視聴した放送番組を記録する記録手段と、
複数のチャンネルの各々について、そのチャンネルの放送番組表を取得する取得手段と、
前記放送番組表に、既に視聴された放送番組と同一の放送番組が含まれていれば、放送番組の重複する度合が高いと判定し、さもなければ放送番組の重複する度合が低いと判定する判定手段と
を含むことを特徴とする請求項１に記載の地上デジタル放送受信装置。
【請求項６】
前記評価手段は、
ユーザが視聴した放送番組のジャンルを記録する記録手段と、
複数のチャンネルの各々について、そのチャンネルにおける各放送番組のジャンルを示す情報を取得する取得手段と、
前記取得手段により取得した情報に、既に視聴された放送番組のジャンルと同一のジャンルが含まれていれば、そのチャンネルを登録する優先度が高いと判定し、さもなければそのチャンネルを登録する優先度が低いと判定する判定手段と
を含むことを特徴とする請求項１に記載の地上デジタル放送受信装置。
【請求項７】
前記地上デジタル放送受信装置は、さらに、
前記上限数と同数のチャンネルが既に登録されている場合には、未登録のチャンネルと既に登録されているチャンネルの間の他に、既に登録されている複数のチャンネルどうしで放送番組の重複する度合を評価し、既に登録されているチャンネルが未登録のチャンネルのいずれかよりも放送番組の重複する度合が高ければ、当該既に登録されているチャンネルの登録を抹消する抹消手段を
備えることを特徴とする請求項１に記載の地上デジタル放送受信装置。
【請求項８】
複数の選局対象となるチャンネルを、予め定められた数以内で登録する地上デジタル放送受信装置であって、
未登録のチャンネルの各々について、既に登録されているチャンネルとの間で放送番組の重複する度合を評価する評価手段と、
前記評価手段により評価された放送番組の重複する度合を、ユーザに提示する提示手段と
を備えることを特徴とする地上デジタル放送受信装置。
【請求項９】
地上デジタル放送受信装置において、複数の選局対象となるチャンネルを、予め定められた数以内で登録するプログラムであって、
未登録のチャンネルの各々について、既に登録されているチャンネルとの間で放送番組の重複する度合を評価する評価ステップと、
前記評価ステップにより重複する度合が低いと評価されたチャンネルから優先的に登録する登録ステップと
を含むことを特徴とするプログラム。
【請求項１０】
地上デジタル放送受信装置において、複数の選局対象となるチャンネルを、予め定められた数以内で登録するチャンネル登録方法であって、
未登録のチャンネルの各々について、既に登録されているチャンネルとの間で放送番組の重複する度合を評価する評価ステップと、
前記評価ステップにより重複する度合が低いと評価されたチャンネルから優先的に登録する登録ステップと
を含むことを特徴とするチャンネル登録方法。
【発明の詳細な説明】
【技術分野】
【０００１】
本発明は、地上デジタル放送受信装置に関し、特に、予め定められた数以内で、選局対象とするチャンネルを登録する技術に関する。
【背景技術】
【０００２】
地上デジタル放送の受信装置には、設置時におけるユーザの手間を軽減するため、自動的に選局対象とするチャンネルを登録するプリセット機能が備えられている。チャンネルの登録とは、具体的には、例えば１番から１２番までの選局ボタンに、それぞれチャンネルを割り当てて記憶することである。
通常、選局ボタンの数（例えば、１２個）に対して、受信装置が設置されている放送地域における放送局（域内局）の数は少ない。したがって、域内局のチャンネルのみを選局ボタンに割り当てることとすると、選局ボタンが余ることになる。
【０００３】
そこで、受信装置が域内局に加えて他の放送地域の放送局（域外局）からの放送データも選局ボタンに割り当てることができれば、選局対象数を増やすことができる。社団法人電子情報技術産業協会発行のガイドライン（非特許文献１）は、上記のような越境受信による域外局のチャンネルを余った選局ボタンに割り当てることが記載されている。
以下は、当ガイドラインが示す域外局のプリセットについての手順である。
（１）域外局のリモコンキー識別が域内局のそれと重ならない場合は、リモコンキー識別で指定された番号どおりに割り当てる。ここで、リモコンキー識別とは、各チャンネルをどのワンタッチ選局ボタンに割り当てるかを示す識別子である。これは、同一放送地域内のチャンネル間では重複しないように予め取り決められている。
（２）域外局のリモコンキー識別が域内局のそれと重なる場合には、域外局の「地域識別」・「地域事業者識別」の小さい順に割り当てる。地域識別および地域事業者識別は各チャンネルの放送データに含まれているので、受信装置は放送データを受信することによりこれらを把握することができる。
（３）域外局のリモコンキー識別が域内局とは重ならず、域外の他の放送局と重なる場合には、各メーカの商品企画事項とする。
【０００４】
ここで、（３）の手順についてはメーカの商品企画事項であるが、（２）の手順と同様に「地域識別」・「地域事業者識別」の小さい順に割り当てることが考えられる。
【非特許文献１】文書名：地上デジタルテレビジョン放送受信機  受信機動作ガイドライン Ver. 1.1  発行者：社団法人電子情報技術産業協会 テレビネットワーク事業委員会  地上デジタル専門委員会  リモコンタスクグループ  発行年月：２００２年１１月
【発明の開示】
【発明が解決しようとする課題】
【０００５】
しかしながら、上記のように単に「地域識別」・「地域事業者識別」の小さい順にプリセットすることとすると、ある事業者のチャンネルが域内局として既にプリセットされているにもかかわらず、さらに同一事業者の別のチャンネルが域外局としてプリセットされる場合がある。同一事業者であれば、放送番組の全部または一部が同一であることが多い。したがって、域外局を余った選局ボタンに割り当てたとしても、実質的には選局対象数を増やしたことにならない場合がある。
【０００６】
そこで、本発明は、限られた数の選局ボタンにチャンネルを割り当てる際に、選局対象数を実質的に増やすことができる地上デジタル放送受信装置を提供することを目的とする。
【課題を解決するための手段】
【０００７】
本発明に係る地上デジタル放送受信装置は、複数の選局対象となるチャンネルを、予め定められた数以内で登録する地上デジタル放送受信装置であって、未登録のチャンネルの各々について、既に登録されているチャンネルとの間で放送番組の重複する度合を評価する評価手段と、前記評価手段により重複する度合が低いと評価されたチャンネルから優先的に登録する登録手段とを備える。
【発明の効果】
【０００８】
上記構成によれば、地上デジタル放送受信装置は、未登録のチャンネルを、既登録のチャンネルとの間で放送番組の重複する度合が低いチャンネルから優先的に登録する。これにより、限られた数の選局ボタンにチャンネルを割り当てる際に、選局対象数を実質的に増やすことができる。
また、前記評価手段は、複数のチャンネルの各々について、そのチャンネルを放送する事業者を識別する事業者識別情報を取得する取得手段と、既に登録されているチャンネルの中に事業者識別情報が一致するチャンネルが含まれていれば放送番組の重複する度合が高いと判定し、さもなければ放送番組の重複する度合が低いと判定する判定手段とを含むこととしてもよい。
【０００９】
上記構成によれば、地上デジタル放送受信装置は、未登録のチャンネルの各々について事業者を特定して、既登録のチャンネルと未登録のチャンネルで事業者が一致するかどうかにより放送番組が重複する度合の高低を判定する。一般的に、事業者が同一であれば放送番組の一部または全部が共通化されることが多いが、事業者が異なれば放送番組が共通化される可能性は少ない。したがって、地上デジタル放送受信装置は、未登録のチャンネルのうち、既登録のチャンネルと事業者が異なるチャンネルを優先的に登録することで、選局対象数を実質的に増やすことができる。
【００１０】
また、前記評価手段は、複数のチャンネルの各々について、そのチャンネルを放送する事業者の系列を識別する系列識別情報を取得する取得手段と、既に登録されているチャンネルの中に系列識別情報が一致するチャンネルが含まれていれば放送番組の重複する度合が高いと判定し、さもなければ放送番組の重複する度合が低いと判定する判定手段とを含むこととしてもよい。
【００１１】
上記構成によれば、地上デジタル放送受信装置は、未登録のチャンネルの各々について事業者の系列を特定して、既登録のチャンネルと未登録のチャンネルで事業者の系列が一致するかどうかにより放送番組が重複する度合の高低を判定する。ここで、系列とは、番組全般やニュースなどを各事業者間相互に供給することを目的とする組織である。そのため、一般的に事業者の系列が同一であれば放送番組の一部または全部が共通化されることが多いが、系列が異なれば放送番組が共通化される可能性は少ない。したがって、地上デジタル放送受信装置は、未登録のチャンネルのうち、既登録のチャンネルと系列が異なるチャンネルを優先的に登録することで、選局対象数を実質的に増やすことができる。
【００１２】
また、前記地上デジタル放送受信装置は、複数の放送地域をそれぞれ識別する放送地域識別情報を複数のグループに分類して記憶しており、前記評価手段は、複数のチャンネルの各々について、そのチャンネルの事業者が放送の対象とする地域を識別する放送地域識別情報を取得する取得手段と、既に登録されているチャンネルの中に同一グループに属する放送地域識別情報のチャンネルが含まれていれば放送番組の重複する度合が高いと判定し、さもなければ放送番組の重複する度合が低いと判定する判定手段とを含むこととしてもよい。
【００１３】
上記構成によれば、地上デジタル放送受信装置は、未登録のチャンネルの各々について放送地域を特定して、既登録のチャンネルに未登録のチャンネルの放送地域と同一グループに属する放送地域のチャンネルが含まれているかどうかにより放送番組が重複する度合の高低を判定する。ここで、例えば、放送地域とは、大阪府、京都府、兵庫県、奈良県、滋賀県、和歌山県であり、グループとは、近畿広域圏を指すとする。一般的に放送地域の属するグループが同一であれば放送番組が重複する可能性が高く、放送地域の属するグループが異なれば放送番組が重複する可能性は低い。したがって、地上デジタル放送受信装置は、未登録のチャンネルのうち、既登録のチャンネルと放送地域の属するグループが異なるチャンネルを優先的に登録することで、選局対象数を実質的に増やすことができる。
【００１４】
また、前記評価手段は、ユーザが視聴した放送番組を記録する記録手段と、複数のチャンネルの各々について、そのチャンネルの放送番組表を取得する取得手段と、前記放送番組表に、既に視聴された放送番組と同一の放送番組が含まれていれば、放送番組の重複する度合が高いと判定し、さもなければ放送番組の重複する度合が低いと判定する判定手段とを含むこととしてもよい。
【００１５】
上記構成によれば、地上デジタル放送受信装置は、ユーザが視聴した放送番組を基準として、番組重複度を判定する。これにより、放送局の新設などに伴い新たなチャンネルを受信できるようになったとき、ユーザの好みに合わせた登録が可能になる。
また、前記評価手段は、ユーザが視聴した放送番組のジャンルを記録する記録手段と、複数のチャンネルの各々について、そのチャンネルにおける各放送番組のジャンルを示す情報を取得する取得手段と、前記取得手段により取得した情報に、既に視聴された放送番組のジャンルと同一のジャンルが含まれていれば、そのチャンネルを登録する優先度が高いと判定し、さもなければそのチャンネルを登録する優先度が低いと判定する判定手段とを含むこととしてもよい。
【００１６】
上記構成によれば、地上デジタル放送受信装置は、ユーザが視聴した放送番組のジャンルを基準として、チャンネルの登録の優先度を判定する。これにより、放送局の新設などに伴い新たなチャンネルを受信できるようになったとき、ユーザの好みに合わせた登録が可能になる。
また、前記地上デジタル放送受信装置は、さらに、前記上限数と同数のチャンネルが既に登録されている場合には、未登録のチャンネルと既に登録されているチャンネルの間の他に、既に登録されている複数のチャンネルどうしで放送番組の重複する度合を評価し、既に登録されているチャンネルが未登録のチャンネルのいずれかよりも放送番組の重複する度合が高ければ、当該既に登録されているチャンネルの登録を抹消する抹消手段を備えることとしてもよい。
【００１７】
上記構成によれば、地上デジタル放送受信装置は、チャンネルが上限いっぱいに登録されている場合に、未登録のチャンネルと既登録のチャンネルの間での放送番組の重複する度合が、複数の既登録のチャンネルどうしでの放送番組の重複する度合よりも低ければ、既登録のチャンネルの登録を抹消する。これにより、地上デジタル放送受信装置は、チャンネルが上限いっぱいに登録されていても、放送番組が重複する度合の低いチャンネルを優先的に登録することができる。
【００１８】
本発明に係る地上デジタル放送受信装置は、複数の選局対象となるチャンネルを、予め定められた数以内で登録する地上デジタル放送受信装置であって、未登録のチャンネルの各々について、既に登録されているチャンネルとの間で放送番組の重複する度合を評価する評価手段と、前記評価手段により評価された放送番組の重複する度合を、ユーザに提示する提示手段とを備える。
【００１９】
上記構成によれば、地上デジタル放送受信装置は、未登録のチャンネルの各々について、放送番組の重複する度合を評価して、その評価結果をユーザに提示する。これにより、ユーザは選局ボタンにチャンネルを割り当てる際に、評価結果を参考にすることができ、選局対象数を実質的に増やすようにすることができる。
本発明に係るプログラムは、地上デジタル放送受信装置において、複数の選局対象となるチャンネルを、予め定められた数以内で登録するプログラムであって、未登録のチャンネルの各々について、既に登録されているチャンネルとの間で放送番組の重複する度合を評価する評価ステップと、前記評価ステップにより重複する度合が低いと評価されたチャンネルから優先的に登録する登録ステップとを含む。
【００２０】
また、本発明に係るチャンネル登録方法は、地上デジタル放送受信装置において、複数の選局対象となるチャンネルを、予め定められた数以内で登録するチャンネル登録方法であって、未登録のチャンネルの各々について、既に登録されているチャンネルとの間で放送番組の重複する度合を評価する評価ステップと、前記評価ステップにより重複する度合が低いと評価されたチャンネルから優先的に登録する登録ステップとを含む。
【００２１】
上記構成のプログラムまたはチャンネル登録方法が適用されれば、地上デジタル放送受信装置は、未登録のチャンネルを、既登録のチャンネルとの間での放送番組の重複する度合が低いチャンネルから順に優先的に登録する。これにより、限られた数の選局ボタンにチャンネルを割り当てる際に、選局対象数を実質的に増やすことができる。
【発明を実施するための最良の形態】
【００２２】
以下、本発明を実施するための最良の形態について図面を用いて詳細に説明する。
（実施の形態１）
図１は、放送受信装置の設置環境を示す図である。
放送地域２〜６には、それぞれ複数の放送局が存在し、各放送局は、自己に割り当てられた周波数帯域を用いて放送データを送信する。放送データはトランスポートストリーム（ＴＳ）の形式で送られる。また、放送地域２〜６には、それぞれ地域識別と呼ばれる識別子が割り当てられている。図１の例で、放送受信装置は放送地域３内の位置７に設置されている。地域識別については、社団法人電波産業会発行のＡＲＩＢ技術資料地上デジタルテレビジョン放送運用規定ＡＲＩＢ  ＴＲ−Ｂ１４に記載されているものを利用する。当該資料によれば、地域識別「１」から「６」までを広域に割り当て、地域識別「１０」から「６２」までを県域などに割り当てている。例えば、近畿広域圏には「２」が割り当てられ、大阪府には「４０」、奈良県には「４４」が割り当てられている。
【００２３】
図２は、放送受信装置１０１の主要部の構成を示す図である。
受信アンテナ部１２１は地上デジタル放送１０５の信号を受信する。受信した信号は周波数選局部１２４へ送られ、周波数選局部１２４では予め設定された周波数が選局される。
選局された信号は復調部１２６へ送られ、トランスポートストリーム１０６に復調される。復調されたトランスポートストリーム１０６は分離部１２８でオーディオ信号とビデオ信号とデータ信号に分離され、所望のサービスに対応するオーディオ信号とビデオ信号とデータ信号がそれぞれオーディオデコーダ１３２、ビデオデコーダ１３４、データデコーダ１３６に送られる。
【００２４】
ユーザが所望のサービスを選択する手段については後で詳細に説明する。
オーディオ信号、ビデオ信号、データ信号はそれぞれオーディオデコーダ１３２、ビデオデコーダ１３４、データデコーダ１３６でデコードされて、デコード後のオーディオ信号１０７、ビデオ信号１０８、データ信号１０９が生成され、それぞれスピーカ（図示せず）、表示装置（図示せず）、出力装置（図示せず）やその他の装置で再生される。
【００２５】
放送受信装置１０１は、このような構成を含む本体部１１０と、それと分離されたリモコン部１６０から構成される。
リモコン部１６０は主な構成要素として、リモコン制御部１６４、操作入力部１６６、その他（図示せず）を有している。
リモコン部１６０は主に放送受信装置１０１を操作するため、特に放送受信装置１０１に対して何らかの制御を行なうためにユーザによって使用される。
【００２６】
ユーザはリモコン部１６０の操作入力部１６６を操作することによって放送受信装置１０１に対して何らかの制御を行ない、その操作によって生成される制御信号はリモコン制御部１６４を経て、通信部２２１（図３に示す、図２には図示せず）から本体部１１０に送られ、本体部で受信された後、本体制御部１４４に送られ、本体制御部１４４がその制御信号に応じた制御を、信号バス１１８を介し、各部分に対して行なう。
【００２７】
必要に応じて、この制御信号やその他のデータは信号バス１１８を介し、メモリ部１４６に記憶保存され、必要に応じて読み出され、使用される。
放送受信装置１０１で受信するサービスを選択する主な手段は次の３とおりである。放送受信装置１０１は選択されたサービスが多重されたトランスポートストリームを受信し、デコードする。地上デジタル放送では、サービスが選局の対象、すなわちチャンネルとして提示される。
【００２８】
図３は、リモコン部１６０の操作面の具体例を示す図である。
第１はチャンネルアップ２２７、チャンネルダウン２２８のボタンを手段として操作し、予め定められた順に逐次選局するものである。
この選局される順番は、サービス種別、リモコンキー識別（ｒｅｍｏｔｅ＿ｃｏｎｔｒｏｌ＿ｋｅｙ＿ｉｄ）およびサービス番号から決まる３桁番号によって予め定めることができる。
【００２９】
このうち、サービス種別とサービス番号は各サービスのサービス識別（ｓｅｒｖｉｃｅ＿ｉｄ）から取得する。リモコンキー識別はＴＳごとに与えられ、サービスが多重されるＴＳに関するＴＳ情報記述子から取得する。ＴＳ情報記述子はネットワーク情報テーブル（ＮＩＴ）に記述される。これらのデータ形式の詳細については、ＡＲＩＢ  ＴＲ−Ｂ１４や社団法人電波産業会（ＡＲＩＢ）発行のＡＲＩＢ標準規格デジタル放送に使用する番組配列情報（ＡＲＩＢ  ＳＴＤ−Ｂ１０）に記載されているものを使うことができる。
【００３０】
第２はダイレクト選局部２２６を手段として操作する選局である。
ダイレクト選局部２２６には０（零）から９までの数値を入力するボタンが備えられている。
この方法では、前記３桁番号と必要に応じて枝番を直接これらのボタンを使って入力し、その３桁番号に対応するチャンネルを選局する。
【００３１】
第３はワンタッチ選局部２２４に備えられた１から１２の番号が表記されたボタンを手段として使用する選局である。このボタンのいずれか１つを押下することによって、この１から１２の番号の表記されたボタンに予めプリセットされたチャンネルを選局する。
このワンタッチ選局部２２４の各ボタンに、このボタンの操作によって選局されるチャンネルをプリセットする手段が本発明の本質的特徴であるから、そのプリセット動作を詳細に説明する。
【００３２】
図４は、チャンネルをプリセットする際の放送受信装置１０１の動作を示す図である。
放送受信装置１０１は、リモコン部１６０からプリセットの指示を受けて、プリセット機能を起動する。プリセットの指示は、メニューキーを押下することで表示装置に表示されるメニューから選択するなどの操作により行なわれる。
本体制御部１４４は、周波数選局部１２４に対して全ての周波数を順次選局するように指示する（ステップＳ３０２）。これにより、放送受信装置１０１は、受信可能な全ての放送データ、すなわちトランスポートストリームを順次受信することができる。このトランスポートストリームには、ネットワーク情報テーブルおよびブロードキャスタ情報テーブル（ＢＩＴ）が多重されている。
【００３３】
放送受信装置１０１は、受信可能な複数の放送から受信状態が一定基準以上のトランスポートストリームだけを選択する（ステップＳ３０３）。受信状態が一定基準以上であるかどうかの判定は、受信した電波の信号雑音比（ＣＮＲ）を測定することによって行なうことができる。測定されたＣＮＲが基準値以上である時、受信状態が一定基準以上であると判定することができる。
【００３４】
ここで選択されたトランスポートストリームに同一放送局のものが含まれていれば、それを排除する（ステップＳ３０４）。これは、地上デジタル放送は、異なる送信所から異なる周波数を用いて同一放送局の放送番組を送信することがあるからである。同一放送局であるかどうかは、放送局に固有のトランスポートストリーム識別（ｔｒａｎｓｐｏｒｔ＿ｓｔｒｅａｍ＿ｉｄ）を参照することにより判定することができる。
【００３５】
放送受信装置１０１は、これらのトランスポートストリームに多重されたサービスをプリセットする。通常、トランスポートストリームには複数のサービスが多重されるが、以下の説明では、説明の便宜上、放送受信装置１０１は、１つの放送局からは１つのサービスのみをプリセットするものとする。したがって、以下の説明では、ある放送局のチャンネルとはその放送局が放送するサービスの１つを指すことになる。
【００３６】
放送受信装置１０１はプリセットに際し、まずチャンネルを域内局のチャンネルと域外局のチャンネルに分類する（ステップＳ３０５）。
この分類では、放送受信装置１０１が設置されている県域と同一県域の放送局を域内局とする。ただし、事業者によっては各県域に放送局を持たずに広域の放送局を持つものがある。この場合には、放送受信装置１０１が設置されている県域が含まれる広域の放送局を域内局と分類する。県域とは、例えば、大阪府、京都府、兵庫県などのことであり、それらの県域が含まれる広域とは、近畿広域圏のことである。域外局とは域内局以外の放送局である。
【００３７】
これらの判断は放送受信装置１０１の本体制御部１４４が主に行ない、その結果は信号バス１１８を介してメモリ部１４６に記憶し、以後の制御に使用する。
次に、放送受信装置１０１は、域内局のチャンネルをプリセットする（ステップＳ３０６）。この際、ワンタッチ選局部２２４に備えられたボタンの番号と、域内局のチャンネルのリモコンキー識別とが等しくなるようにプリセットするものとする。これにより、域内局のチャンネルが最初にワンタッチ選局部２２４のボタンにプリセットされる。
【００３８】
あるひとつの地域の域内局だけであれば、リモコンキー識別は重複することがないように予め定められている。したがって、受信可能な域内局のチャンネルは全てそのリモコンキー識別と等しい番号が付けられたワンタッチ選局部２２４のボタンにプリセットすることができる。通常、この域内局のチャンネルだけで全てのワンタッチ選局部２２４のボタンにプリセットされてしまうことはない。そこで、放送受信装置１０１は、プリセットされずに空いているワンタッチ選局部２２４のボタンに域外局のチャンネルをプリセットしようとする。
【００３９】
以降は、域外局のチャンネルを、まだプリセットされていないボタン（空きボタン）に割り当てる処理である。
放送受信装置１０１は、域外局のチャンネルの各々について、域内局および他の域外局とリモコンキー識別が競合するかどうかを判定する（ステップＳ３０７）。ここで、リモコンキー識別の競合とは、あるチャンネルのリモコンキー識別が、他のチャンネルのリモコンキー識別と一致することをいう。ある域外局のチャンネルが域内局のリモコンキー識別と競合しないということは、その域外局のチャンネルのリモコンキー識別に対応するボタンが空きボタンであることを意味する。その上で、その域外局のチャンネルが他の域外局のリモコンキー識別と競合しないということは、その空きボタンへのプリセット候補となる域外局のチャンネルが１つだけであることを意味する。
【００４０】
放送受信装置１０１は、域外局のうち、域内局とも他の域外局ともリモコンキー識別が競合しない域外局のチャンネルを、空きボタンにプリセットする（ステップＳ３０８）。
ただし、本来存在するある域内局のチャンネルが何等かの理由によって受信できなかった時には、その域内局のリモコンキー識別と等しい番号の付いたワンタッチ選局部２２４のボタンはプリセットされず空いた状態となるが、その番号とリモコンキー識別が同一の域外局が受信できたとしても、このワンタッチ選局部２２４のボタンにはその域外局をプリセットせず、空けたままにしておく。
【００４１】
次に、放送受信装置１０１は、空きボタンがまだ存在すれば、域外局のチャンネルのうち、域内局または他の域外局とリモコンキー識別が競合するチャンネルを、空きボタンにプリセットする。このとき、放送受信装置１０１は、まだプリセットされていないチャンネルと既にプリセットされたチャンネルの間で番組重複度を評価し、この番組重複度が低いチャンネルを優先的にプリセットする（ステップＳ３０９）。ここで、２つのチャンネル間の番組重複度とは、所定の単位時間内に２つのチャンネルで放送される番組が全く同一番組である時間の、単位時間に占める比率によって示される。
【００４２】
ステップＳ３０９では、以下の手順でプリセットを行なう。
（１）ある空きボタンに対応する域外局のチャンネルが複数あれば、これらの域外局から、それまでに既にプリセットされている局との番組重複度が低い域外局を１つ選んでプリセットする。これを、複数の域外局のチャンネルが対応している空きボタンそれぞれについて行なう。
【００４３】
（２）その後、それまでにプリセットされなかった域外局を、既にプリセットされている局との番組重複度が低い順に優先度を付けて空きボタンにプリセットする。
これらの（１）、（２）についてそれぞれ順番に詳細に説明する。
図５は、上記（１）における番組重複度を考慮したプリセット方法の詳細を示す図である。
【００４４】
放送受信装置１０１は、空きボタンの番号とリモコンキー識別の等しい域外局が複数あれば、これらの域外局の各々について番組重複度を評価する。まず、これらの域外局の事業者が、既にプリセットされているチャンネルの事業者と同一であるかどうかを判定する（ステップＳ３３２）。事業者が同一であるかどうかは、サービス識別から得られる地域識別および地域事業者識別により判定することができる。
【００４５】
例えば、以下の条件のいずれかに合致すれば事業者が同一であると判定する。
（ア）地域識別も地域事業者識別も等しい。
（イ）地域識別がともに北海道または北海道区域を示し、地域事業者識別が等しい。
（ウ）地域事業者識別がともに特定の値で等しい。
通常、地域識別と地域事業者識別の組み合わせにより事業者を判別することができるが、一部の事業者については地域事業者識別が特定の値をとり、地域事業者識別のみにより事業者を判別することができる。この場合には上記条件（ウ）により事業者を判別する。
【００４６】
そして、放送受信装置１０１は、既にプリセットされたチャンネルと事業者が同一であるチャンネルは、番組重複度が高いと判定し、プリセットする優先度を低くする。また逆に、既にプリセットされたチャンネルと事業者が異なるチャンネルは、番組重複度が低いと判定し、プリセットする優先度を高くする。そして優先度が高いと判定されたチャンネルを、空きボタンにプリセットする。
【００４７】
ここで、優先度が高いと判定されたチャンネルが複数存在する場合がある。この場合、放送受信装置１０１は、さらにそのチャンネルの系列が、既にプリセットされているチャンネルの系列と同一であるかどうかを判定する。ここで、放送受信装置１０１は、既にプリセットされたチャンネルと異なる系列であるチャンネルを優先的にプリセットする（ステップＳ３３４）。
【００４８】
系列が同一であるかどうかは、例えば、ブロードキャスタ情報テーブルの拡張ブロードキャスタ記述子に記述される系列識別により判定することができる。拡張ブロードキャスタ記述子のデータ形式については、ＡＲＩＢ  ＳＴＤ−Ｂ１０に記載されたものを使うことができる。
また、既にプリセットされたチャンネルと事業者の異なるチャンネルがない場合もある。その場合、それぞれのチャンネルが、同一県域局であるか広域内局であるか広域外局であるかを判定し、同一県域局であるならばこの中では最も番組の重複度が高いと判定し、続いて広域内局（同一県域局を除く）、広域外局の順に番組の重複度が高いと判定する。ここで、広域内局とは、放送受信装置１０１が設置されている県域を含む広域の放送局、および、その広域に含まれる各県域の放送局のことである。例えば、「京都府を基準とする広域内局」には、近畿広域圏を放送地域とする広域局と、滋賀県、京都府、大阪府、兵庫県、奈良県、和歌山県を放送地域とする県域局が含まれる。また広域外局とは、広域内局以外の放送局のことである。
【００４９】
ここで、広域内局であるか広域外局であるかは、以下の手順で判定される。
放送受信装置１０１は、予め、各広域にどの県域が含まれるかを示す情報を記憶している。まず、放送受信装置１０１は、自己が設置されている県域と同一県域の放送局を同一県域局と判定し、それ以外は同一県域局でないと判定する。
また、放送受信装置１０１は、自己が設置されている県域が含まれる広域の放送局、およびその広域に含まれる各県域の放送局を、広域内局であると判定し、それ以外は広域外局であると判定する。
【００５０】
そして、放送受信装置１０１は、番組重複度が最も低いと判定されたチャンネルを空きボタンにプリセットする（ステップＳ３３６）。
次に、放送受信装置１０１は、なお空きボタンが存在し、かつまだプリセットされていないチャンネルがあれば、既にプリセットされている局との番組重複度が低い域外局を優先的にプリセットする。これは上記手順の（２）に相当する。
【００５１】
以下に、（２）における番組重複度を考慮したプリセット方法を説明する。
図６は、上記（２）における番組重複度を考慮したプリセット方法の詳細を示す図である。
放送受信装置１０１は、まだプリセットされていないチャンネルのうち、事業者が既にプリセットされたチャンネルの事業者と異なるものを優先してプリセットを行なう（ステップＳ３４２）。
【００５２】
この事業者が同一であるかどうかの判定については既に説明したので繰り返し説明はしない。
さらにまた、放送受信装置１０１は、異なる事業者のチャンネルが複数ある場合、異なる事業者間に関しては、系列も異なる事業者のチャンネルを優先して、プリセットを行なう（ステップＳ３４４）。
【００５３】
この系列が同一であるかどうかの判定については既に説明したので繰り返し説明はしない。
さらに放送受信装置１０１は、既にプリセットされたチャンネルと事業者が同一である場合には、同一県域局であるか広域内局であるか広域外局であるかを判定し、広域外局であればこの中では最も番組の重複度が低いと判定し、続いて広域内局（同一県域局を除く）、同一県域局の順に番組の重複度が低いと判定する。
【００５４】
そしてこの番組の重複度が低いと判定された順、すなわち、広域外局、広域内局（同一県域局を除く）、同一県域局の優先順位で、これらの局のチャンネルを空きボタンにプリセットする（ステップＳ３４６）。
以下に、本実施の形態に従ってプリセットされる場合の具体例を示す。
図７は、プリセットの具体例を示す図である。図７に示す各放送局からの地上デジタル放送波が、一定基準以上の受信状態で受信可能であるとする。
【００５５】
図７に示す６１は、ワンタッチ選局部２２４のボタンの番号である。また、６２は域内局として分類された放送局、６３は域外局として分類された放送局で、それぞれのリモコンキー識別は６１の番号に一致しているものとする。６４は各ボタンにプリセットされる放送局、６５は図４のどのステップでプリセットされるかを示す。
また、ここでは、放送局は「Ａａ３局」などと３文字で表しており、大文字アルファベットは事業者を示し、小文字アルファベットは系列を示し、数字は放送地域を示すものとする。
【００５６】
放送受信装置１０１は、本実施の形態では、既に述べたように、以下の手順でプリセットを行なう。
放送受信装置１０１は、最初に域内局のチャンネルをプリセットする（ステップＳ３０６）。これにより、「１」「２」「４」「６」「７」「８」「１０」のボタンに各放送局のチャンネルがプリセットされる。
【００５７】
次に、放送受信装置１０１は、域外局のチャンネルのうち、域内局とも他の域外局ともリモコンキー識別が競合しないチャンネルをプリセットする（ステップＳ３０８）。域外局のうち域内局とも他の域外局ともリモコンキー識別が競合しないチャンネルには、Ｐｆ４局が該当する。これにより、「９」のボタンにＰｆ４局がプリセットされる。
次に、放送受信装置１０１は、域外局のチャンネルのうち、他の域外局とリモコンキー識別が競合するものについて、空きボタンごとに番組優先度の最低の域外局を１つ選択し、プリセットする（ステップＳ３０９（１））。このステップには、「３」のボタンにおけるＨｃ４局とＡａ２局、および「５」のボタンにおけるＫｄ４局とＬｘ２局が該当する。
【００５８】
「３」のボタンについては、Ａａ２局よりもＨｃ４局のほうが番組重複度が低いので、Ｈｃ４局が選択的にプリセットされる。これは、Ａａ２局は事業者および系列が同一のＡａ３局が既に「１」のボタンにプリセットされているのに対し、Ｈｃ４局は事業者や系列が同一の局がプリセットされていないからである。
「５」のボタンについては、Ｌｘ２局よりもＫｄ４局のほうが番組重複度が低いので、Ｋｄ４局が選択的にプリセットされる。これは、Ｌｘ２局は系列が同一のＤｘ３局が既に「７」のボタンにプリセットされているのに対し、Ｋｄ４局は系列が同一の局がプリセットされていないからである。
【００５９】
次に、放送受信装置１０１は、これまでにプリセットされなかった局のチャンネルを番組優先度の低いものから順に優先的にプリセットする（ステップＳ３０９（２））。これまでにプリセットされなかったチャンネルのうち、既にプリセットされているチャンネルとの番組重複度が最も低いのは、Ｎｅ２局であるため、これがボタン「１１」にプリセットされる。なぜならＮｅ２局と事業者や系列が同一のチャンネルはまだプリセットされていない。その次に番組重複度が低いのは、Gｖ２局、Ｊｗ２局、Ｌｘ２局、Ｍｙ２局であり、このうちのいずれかが「１２」のボタンにプリセットされる。ここでは、仮にＧｖ２局がプリセットされている。
【００６０】
以上、説明したように、放送受信装置１０１は、未登録のチャンネルの各々について、既登録のチャンネルとの間で番組重複度を評価し、その番組重複度が低いと評価されたチャンネルから優先的にプリセットする。これにより、限られた数の選局ボタンにチャンネルを割り当てる際に、選局対象数を実質的に増やすことができる。
なお、放送受信装置１０１は、受信状態が一定基準以上であるかどうかを、ＣＮＲにより判定しているが、これに限らない。例えば、アナログデジタル変換後のストリームのビットエラーレート（ＢＥＲ）を測定し、予め放送受信装置に設定された値（基準値）と比較することによって行なうか、その他の方法によっても行なうことができる。ＢＥＲを用いる場合、測定された値が基準値以下である時に、受信状態が一定基準以上であると判定することができる。
【００６１】
なお、放送受信装置１０１は、本体部１１０とリモコン部１６０とに分離されているが、このリモコン部１６０は必ずしも必須の構成ではなく、同等の機能を持つものを本体部１１０に備える構成であってもよい。
なお、図３のワンタッチ選局部２２４には、各ボタンに１から１２の番号が付けられているが、これは必ずしも必須ではない。例えば、他の記号や文字、その他が表記されていても構わないし、何も表記されていなくても構わない。あるいは、ユーザがその表記内容を自由に変えることができるような構成でも構わない。また、ユーザがそのボタンに予めプリセットした放送の放送局名やサービス名をそのボタンに表記するような構成であっても構わない。
【００６２】
なお、ある放送局が放送する複数のサービスから１つを選ぶ方法には、その放送局のプライマリサービスを選択する方法、サービス種別やサービス番号の最も小さいサービスを選択する方法が考えられる。または、他の方法でも構わない。ここでプライマリサービスの定義については、ＡＲＩＢ  ＴＲ−Ｂ１４に記載されたものを用いることができる。
なお、プリセットの指示は、メニューからの選択により行なわれているが、これに限らない。例えば、専用ボタンの押下やチャンネルアップボタンとチャンネルダウンボタンの同時押下により行なわれてもよい。
【００６３】
なお、ステップＳ３０４では、同一放送局を排除しているが、同一放送局が含まれないことが保証されているような場合には必ずしもこのステップは必要ではないし、同一放送局が含まれている場合でも必ずしも行なわない形態でも構わない。あるいは、地域識別と地域事業者識別の両方が等しいかどうかで判定する実施の形態、あるいはその他の方法で判定する実施の形態でも構わない。例えば、地域識別と地域事業者識別の両方が等しいかどうかで判定するならば、県複運用が行なわれる場合に、福岡県のＮＨＫの福岡放送局と北九州放送局を同一放送局であると判定して一方だけを残したり、静岡県の民放の静岡放送局と浜松放送局を同一放送局であると判定して一方だけを残したりすることができる。
【００６４】
なお、域内局と域外局の分類については、上述した方法に限らず、ユーザがこの放送受信装置を設置した時に設定した地域コードと、前記トランスポートストリーム識別またはサービス識別から得た地域識別を比較し、等しいチャンネルを域内局のチャンネル、異なるチャンネルを域外局のチャンネルとしてもよい。
また、地域コードは、ユーザにより設定されることとしているが、これに限らない。例えば、放送受信装置１０１がＧＰＳやその他の測位システムを備えている形態では、その測位結果と何等かの放送地域マップから自動的に地域コードを設定することもできるし、他の方法、例えば移動体通信装置の基地局に関する情報を使ったり、固定電話の局番号を使ったりして地域コードを設定する方法、その他種々の方法が考えられる。
【００６５】
なお、ステップＳ３３２において、「事業者」が同一であるかどうかを判定しているが、これに限らず、「事業者および系列」が同一であるかどうかを判定してもよいし、「事業者および放送地域」が同一であるかどうかを判定してもよい。
なお、放送受信装置１０１は、地域事業者識別、系列識別および地域識別を利用して番組重複度を評価しているが、この組み合わせに限らない。例えば、地域事業者識別、系列識別および地域識別のうちのいずれかであっても良いし、このうちのいずれか２つの組み合わせであってもよい。さらに、番組重複度を評価する材料は、これらに限らず、例えば、電子番組表（ＥＰＧ）を用いても良い。この場合、放送受信装置１０１が、各チャンネルについて一定期間分の番組表を取得し、既にプリセットされているチャンネルとまだプリセットされていないチャンネルの間で番組表の内容が重複する割合を導き出すことで、番組重複度を評価することができる。
（実施の形態２）
実施の形態１では、ワンタッチ選局部２２４のボタンにプリセットされた域内局とのリモコンキー識別の競合を判定し（図４、ステップＳ３０７）、競合しないものについてプリセットを行ない（図４、ステップＳ３０８）、競合するものについて番組の重複度を評価してより重複度の低いものを優先してプリセットした（図４、ステップＳ３０９）。
【００６６】
しかし、上記のプリセット方法では、リモコンキー識別の競合しないチャンネルが無条件にプリセットされるので、必ずしも事業者の異なるチャンネルがプリセットされるとは限らない。
そこで、実施の形態２では、域内局とのリモコンキー識別の競合を判定することなく、域外局の全てのチャンネルについて番組重複度の評価を行なうこととしている。
【００６７】
図８は、チャンネルをプリセットする際の放送受信装置１０１の動作を示す図である。
放送受信装置１０１は、リモコン部１６０からプリセットの指示を受けて、プリセット機能を起動し、周波数スキャン（ステップＳ５０２）、受信状態が一定基準以上のものを選択（ステップＳ５０３）、同一放送局を排除（ステップＳ５０４）、域内局と域外局の分類（ステップＳ５０５）、域内局についてはリモコンキー識別と同一番号のボタンにプリセットする（ステップＳ５０６）。ここまでの手順は、実施の形態１と同様である。
【００６８】
次に、放送受信装置１０１は、域外局としてプリセットの対象とならなかったチャンネルの番組重複度を評価する（ステップＳ５０７）。
そして、放送受信装置１０１は、番組重複度の低いチャンネルから優先的にプリセットする（ステップＳ５０８）。ここで、番組重複度の評価方法は、実施の形態１と同様である。
【００６９】
このように、放送受信装置１０１は、域外局のチャンネルをプリセットする際に、域内局とのリモコンキー識別の競合の有無を判定せず、全ての域外局について番組重複度を評価し、番組重複度が低いチャンネルから優先的にプリセットする。実施の形態１では、域外局のチャンネルのリモコンキー識別が競合しない場合に、域内局と同一事業者（あるいは同一系列）のチャンネルが他の域外局よりも優先的にプリセットされることが起こり得る。実施の形態２では、そのような事態を回避することができる。
【００７０】
（実施の形態３）
実施の形態３では、実施の形態１または実施の形態２によって所定のチャンネルがワンタッチ選局部２２４のボタンにプリセットされた後に、新たなチャンネルが受信できるようになったとき、そのチャンネルをワンタッチ選局部２２４のボタンにプリセットすることに特徴を有するものである。その他については実施の形態１または実施の形態２と同一であるから、特徴的部分に関してのみ説明する。新たなチャンネルが受信できるようになった原因としては、新たな局が新たなチャンネルの放送を開始した、既に存在していた局が新たに送信所を設置した、送信所の出力が増力された、そのチャンネルは既に放送されていたが何らかの理由で受信できず、その後の何らかの変化で受信できるようになった、などが考えられる。
【００７１】
図９は、新たなチャンネルをプリセットする際の放送受信装置１０１の動作を示す図である。
ここでは、既にワンタッチ選局部２２４のボタンにプリセットが行なわれていることが前提である（ステップＳ６０１）。
いったんプリセットが行なわれた後に、ユーザが所定の操作を行なうことによって、放送受信装置１０１が周波数スキャンを行なう（ステップＳ６０２）。この所定の操作とは、例えばメニューからの選択や、専用ボタンの操作、電源オンオフのボタン操作、メイン電源（商用電源供給）の通電操作、その他の操作とすることができる。
【００７２】
次に放送受信装置１０１は、受信可能なチャンネルから受信状態が一定基準以上のものを選択し（ステップＳ６０３）、同一放送局のチャンネルが含まれていれば排除する（ステップＳ６０４）。
ここで、新たに受信状態が一定基準以上になったチャンネルの有無を判断する（ステップＳ６０５）。新たなチャンネルがなければそのまま終了する（ステップＳ６０６）。
【００７３】
新たなチャンネルがある場合、放送受信装置１０１は、ワンタッチ選局部２２４のボタンに空きボタンがあるかどうかの判断を行なう（ステップＳ６０７）。
ワンタッチ選局部２２４のボタンに空きボタンがなければ、何もせずに終了する（ステップＳ６０６）。
ワンタッチ選局部２２４のボタンに空きボタンがあれば、新たなチャンネルと、既にプリセットされているチャンネルの間の番組重複度を評価する（ステップＳ６０８）。番組重複度の評価方法については実施の形態１と同様である。
【００７４】
放送受信装置１０１は、複数の新たなチャンネルのうち、番組重複度が低いと評価されたチャンネルを優先して、空きボタンにプリセットを行なう（ステップＳ６０９）。
放送受信装置１０１は、空きボタンがある限りこのプリセットを行なう。
なお、放送受信装置１０１は、所定の操作で周波数スキャンを行ない、新たなチャンネルの有無を判断しているが、これに限らない。例えば、所定の周期、例えば１日1回、または１週間に１回、その他の周期で放送受信装置１０１が自動的に周波数スキャンを行ない、新たなチャンネルの有無を判断することもできる。
【００７５】
（実施の形態４）
実施の形態４も実施の形態３と同様に、実施の形態１または実施の形態２によって所定のチャンネルがワンタッチ選局部２２４のボタンにプリセットされた後に、新たなチャンネルが受信できるようになったとき、そのチャンネルをワンタッチ選局部２２４のボタンにプリセットすることに特徴を有するものである。さらにそのとき、プリセットする空きボタンがない場合にのみ特徴を有するもので、その他については実施の形態３と同一であるから、特徴的部分に関してのみ説明する。
【００７６】
図１０は、チャンネルをプリセットする際の放送受信装置１０１の動作を示す図である。
放送受信装置１０１は、実施の形態１または実施の形態２または実施の形態３のような方法でプリセットを実行（ステップＳ７０１）した後、所定の操作をきっかけに周波数スキャンを行なう（ステップＳ７０２）。次に放送受信装置１０１は、受信可能なチャンネルから受信状態が一定基準以上のものを選択し（ステップＳ７０３）、同一放送局のチャンネルが含まれていれば排除する（ステップＳ７０４）。
【００７７】
ここで、新たに受信状態が一定基準以上になったチャンネルの有無を判断する（ステップＳ７０５）。新たなチャンネルがなければそのまま終了する（ステップＳ７０６）。
新たに受信状態が一定基準以上になったチャンネルがあれば、それらのチャンネルのプリセットを行なう。このとき、ワンタッチ選局部２２４のボタンに空きボタンがあるかどうかの判断を行なう（ステップＳ７０７）。空きボタンがあれば、放送受信装置１０１は、新たなチャンネルをこの空きボタンにプリセットする（ステップＳ７０８）。空きボタンへのプリセット方法については、実施の形態３と同様である。
【００７８】
ワンタッチ選局部２２４のボタンに空きボタンがなければ、放送受信装置１０１は、新たなチャンネルと既にプリセットされているチャンネルの間で番組重複度を評価する。また、それとともに、既にプリセットされているチャンネルどうしの番組重複度の評価を行なう（ステップＳ７０９）。
そして放送受信装置１０１は、新たなチャンネルと既にプリセットされているチャンネルの番組重複度の方が、既にプリセットされているチャンネルどうしの番組重複度よりも低いチャンネルがあるかどうかを判断し（ステップＳ７１０）、なければ何もせずに終了する（ステップＳ７１１）。
【００７９】
逆に、新たなチャンネルと既にプリセットされているチャンネルの番組重複度の方が、既にプリセットされているチャンネルどうしの番組重複度よりも低いチャンネルがあれば、既にプリセットされているチャンネルの中から、番組重複度が最も高いと判定されたチャンネルのいずれかのプリセットの解除を行なう（ステップＳ７１２）。
放送受信装置１０１は、その番組重複度が既にプリセットされているチャンネルどうしの番組重複度よりも低いと判定された新たなチャンネルを、このプリセットを解除したボタンにプリセットする（ステップＳ７１３）。
【００８０】
放送受信装置１０１は、新たなチャンネルがある限り、以上の判断と処理を繰り返す。
（実施の形態５）
実施の形態５では、放送受信装置１０１における番組重複度の評価方法が実施の形態１などと異なる。以下に異なる部分について詳細に説明し、実施の形態１などと同様の部分は説明を省略する。
【００８１】
図１１は、チャンネルをプリセットする際の放送受信装置１０１の動作を示す図である。
放送受信装置１０１は、プリセット機能を起動し、域内局のチャンネルをプリセットする（ステップＳ８０１）。ここまでは、実施の形態１におけるステップＳ３０６までと同様の動作である。
【００８２】
放送受信装置１０１は、未登録のチャンネルの各々について、既登録のチャンネルとの間で放送番組が重複する度合を評価する（ステップＳ８０２）。
放送受信装置１０１は、未登録のチャンネルのうち、放送番組の重複する度合が低いと評価されたチャンネルから優先的にプリセットする（ステップＳ８０３）。その後、放送受信装置１０１は、プリセット機能を終了する。
【００８３】
上述の評価処理（ステップＳ８０２）と登録処理（ステップＳ８０３）について以下に詳しく説明する。
図１２は、番組重複度の評価処理を示す図である。
放送受信装置１０１は、未登録のチャンネルのうち、未評価のチャンネルがあるかどうかを判断する（ステップＳ８１１）。未評価のチャンネルがなければ（ステップＳ８１１：Ｎ）、放送受信装置１０１は評価処理を終了する。未評価のチャンネルがあれば（ステップＳ８１１：Ｙ）、放送受信装置１０１は、未登録のチャンネルのひとつを特定し、既登録のチャンネルの中に事業者が同一のチャンネルがあるかどうかを判断する（ステップＳ８１２）。事業者が同一であるかどうかは、取得された地域事業者識別および地域識別により判断することができる。事業者が同一のチャンネルがあれば（ステップＳ８１２：Ｙ）、既登録のチャンネルの中に同一県域局があるかどうかを判断する（ステップＳ８１３）。同一県域局があれば（ステップＳ８１３：Ｙ）、その未登録チャンネルに重複度「４」を与える（ステップＳ８１４）。既登録のチャンネルの中に同一県域局のチャンネルがなければ（ステップＳ８１３：Ｎ）、放送受信装置１０１は、既登録のチャンネルの中に同一広域局のチャンネルがあるかどうかを判断する（ステップＳ８１５）。同一広域局のチャンネルがあれば（ステップＳ８１５：Ｙ）、その未登録チャンネルに重複度「３」を与える（ステップＳ８１６）。同一広域局のチャンネルがなければ（ステップＳ８１５：Ｎ）、その未登録チャンネルに重複度「２」を与える。（ステップＳ８１７）。
【００８４】
また、放送受信装置１０１は、事業者が同一のチャンネルがなければ（ステップＳ８１２：Ｎ）、同一系列のチャンネルがあるかどうかを判断する（ステップＳ８１８）。系列が同一であるかどうかは、取得された系列識別により判定することができる。同一系列のチャンネルがあれば（ステップＳ８１８：Ｙ）、その未登録のチャンネルに重複度「１」を与える（ステップＳ８１９）。
【００８５】
放送受信装置１０１は、同一系列のチャンネルがなければ（ステップＳ８１８：Ｎ）、その未登録のチャンネルに重複度「０」を与える（ステップＳ８２０）。放送受信装置１０１は、未登録チャンネルに重複度を与えると、ステップＳ８１１にもどる。
図１３は、未登録のチャンネルの登録処理を示す図である。
放送受信装置１０１は、番組重複度の評価処理において各未登録チャンネルに与えられた重複度を検出する（ステップＳ８２１）。
【００８６】
放送受信装置１０１は、チャンネルの登録数が上限未満であるかどうかを判断する（ステップＳ８２２）。ここで上限とは、選局対象のチャンネルとして登録することができる最大数である。チャンネルの登録数が上限未満でなければ（ステップＳ８０３：Ｎ）、放送受信装置１０１は、プリセット機能を終了する。
放送受信装置１０１は、チャンネルの登録数が上限未満であれば（ステップＳ８０３：Ｙ）、未登録のチャンネルのうち重複度「０」のチャンネルがあるかどうかを判断する（ステップＳ８２３）。
【００８７】
重複度「０」のチャンネルがあれば（ステップＳ８２３：Ｙ）、放送受信装置１０１は、そのチャンネルをプリセットする（ステップＳ８２４）。重複度「０」のチャンネルがなければ（ステップＳ８２３：Ｎ）、放送受信装置１０１は、未登録のチャンネルのうち重複度「１」のチャンネルがあるかどうかを判断する（ステップＳ８２５）。
重複度「１」のチャンネルがあれば（ステップＳ８２５：Ｙ）、放送受信装置１０１は、そのチャンネルをプリセットする（ステップＳ８２４）。重複度「１」のチャンネルがなければ（ステップＳ８２５：Ｎ）、放送受信装置１０１は、未登録のチャンネルのうち重複度「２」のチャンネルがあるかどうかを判断する（ステップＳ８２６）。
【００８８】
重複度「２」のチャンネルがあれば（ステップＳ８２６：Ｙ）、放送受信装置１０１は、そのチャンネルをプリセットする（ステップＳ８２４）。重複度「２」のチャンネルがなければ（ステップＳ８２６：Ｎ）、放送受信装置１０１は、未登録のチャンネルのうち重複度「３」のチャンネルがあるかどうかを判断する（ステップＳ８２７）。
重複度「３」のチャンネルがあれば（ステップＳ８２７：Ｙ）、放送受信装置１０１は、そのチャンネルをプリセットする（ステップＳ８２４）。重複度「３」のチャンネルがなければ（ステップＳ８２７：Ｎ）、未登録のチャンネルのうち重複度「４」のチャンネルがあるかどうかを判断する（ステップＳ８２８）。
【００８９】
重複度「４」のチャンネルがあれば（ステップＳ８２８：Ｙ）、放送受信装置１０１は、そのチャンネルをプリセットする（ステップＳ８２４）。重複度「４」のチャンネルがなければ（ステップＳ８２８：Ｎ）、放送受信装置１０１は、登録処理を終了する。
これにより、放送受信装置１０１は、以下の順番でチャンネルをプリセットする。
（１）異事業者かつ異系列
（２）異事業者かつ同一系列
（３）同一事業者かつ同一広域外
（４）同一事業者かつ同一広域内
（５）同一事業者かつ同一県域内
（変形例）
なお、全ての実施の形態において、放送受信装置１０１は、未登録のチャンネルの各々について番組重複度を評価し、評価結果に基づき自動的にチャンネルをプリセットしている。これによりユーザの手間をかけずに番組選択の幅を広げることができる。しかし、これに限らず、放送受信装置１０１が番組重複度の評価結果をユーザに提示し、ユーザからのチャンネルのプリセットを受け付ける仕様であっても同様の効果を得ることができる。ここで、ユーザへの提示は、評価結果のリストをデータ出力して、表示装置に表示させることなどにより行なうことができる。また、ユーザの操作は、リモコンなどにより受け付けることができる。
【００９０】
なお、全ての実施の形態において、各チャンネルをワンタッチ選局部２２４の各ボタンにプリセットする場合で説明しているが、これに限らず、エントリ数に上限のあるチャンネルリストにも適用することができる。チャンネルリストは、各エントリ番号にチャンネルを特定する情報を対応づけているリストであり、放送受信装置１０１のメモリ部１４６に記録されている。これまでのプリセットの説明では、それぞれのトランスポートストリームで複数放送されるサービスのうちの１つをエントリ数に上限のあるリストに登録するものとした。しかしながら、受信可能なすべての周波数またはトランスポートストリームまたはサービスに関する情報をチャンネルリストに記憶する際、それらの数が上限のエントリ数を上回った場合にも適用することができる。このとき、一部の周波数またはトランスポートストリームまたはサービスに関する情報を保持することができないが、エントリ数に上限のあるチャンネルリストにどの周波数またはトランスポートストリームまたはサービスに関する情報を保持するかを決定するときに、番組重複度の判定を用いることができる。
【００９１】
なお、実施の形態３のように、既にユーザが放送受信装置を利用している状況において、新たな放送が受信できるようになってチャンネルを追加する場合、以下のようにしてもよい。
（１）放送受信装置は、常にユーザの視聴履歴（チャンネルと番組を特定する情報）を記録しておく。
（２）放送受信装置は、新たな放送が受信できるようになった場合、そのチャンネルの放送番組をＥＰＧなどで調べる。
（３）放送受信装置は、視聴履歴を基準として、チャンネル毎に番組重複度を調べる。
（４）新たなチャンネルが既存のチャンネルＡと番組が重複する割合が高ければ、ほとんど一緒の放送内容と判定できるので、新たなチャンネルとチャンネルＡについて、番組重複度が高いと判定する。
（５）視聴履歴と一致する番組がなければ、上記の判定は用いず、事業者・系列などの情報により番組重複度を判定する。
【００９２】
これにより、新たな放送局が受信できるようになったとき、ユーザの好みに合わせて、プリセットの変更が可能となる。
また、実施の形態４のような、既にプリセットされているチャンネルの解除を行なう場合、視聴履歴を考慮して解除を行なってもよい。
例えば、既にプリセットされている２つのチャンネルのうち、いずれかを解除しなければならない場合、視聴履歴のあるチャンネルを残留し、視聴履歴のないチャンネルを解除する。
【００９３】
これにより、ユーザの好みに合わせて、プリセットの変更が可能となる。
また、視聴履歴を考慮したプリセットの変更は、さらにユーザの嗜好に合わせるため、以下のようにしてもよい。
（１）放送受信装置は、視聴履歴として、番組のジャンルを示すジャンル情報も記録している。
（２）放送受信装置は、番組重複度を評価するとき、視聴履歴の番組およびそのジャンルと、新たなチャンネルの番組およびそのジャンルを比較する。
（３）放送受信装置は、ジャンルが一致する度合が高く、かつ、番組重複度自体は一致する度合が低いチャンネルを優先度が高いと評価する。
【００９４】
例えば、新たなチャンネルが２つ存在し、どちらも番組重複度が同一であれば、ジャンルの一致する度合が高いチャンネルを優先的にプリセットする。
これにより、ユーザの嗜好性を考慮したプリセットの変更が可能となる。
【産業上の利用可能性】
【００９５】
本発明は、上述のように、地上デジタル放送受信装置のプリセット機能に適用することができる。
【図面の簡単な説明】
【００９６】
【図１】放送受信装置の設置環境を示す図である。
【図２】放送受信装置１０１の主要部の構成を示す図である。
【図３】リモコン部１６０の操作面の具体例を示す図である。
【図４】チャンネルをプリセットする際の放送受信装置１０１の動作を示す図である。
【図５】番組重複度を考慮したプリセット方法の詳細を示す図である。
【図６】番組重複度を考慮したプリセット方法の詳細を示す図である。
【図７】プリセットの具体例を示す図である。
【図８】チャンネルをプリセットする際の放送受信装置１０１の動作を示す図である。
【図９】チャンネルをプリセットする際の放送受信装置１０１の動作を示す図である。
【図１０】チャンネルをプリセットする際の放送受信装置１０１の動作を示す図である。
【図１１】チャンネルをプリセットする際の放送受信装置１０１の動作を示す図である。
【図１２】番組重複度の評価処理を示す図である。
【図１３】未登録のチャンネルの登録処理を示す図である。
【符号の説明】
【００９７】
１０１    放送受信装置
１１０    本体部
１１８    信号バス
１２１    受信アンテナ部
１２４    周波数選局部
１２６    復調部
１２８    分離部
１３２    オーディオデコーダ
１３４    ビデオデコーダ
１３６    データデコーダ
１４４    本体制御部
１４６    メモリ部
１６０    リモコン部
１６４    リモコン制御部
１６６    操作入力部
２２１    通信部
２２４    ワンタッチ選局部
２２６    ダイレクト選局部
２２７    チャンネルアップ
２２８    チャンネルダウン
【図１】
2004312718.tif 000003
【図２】
2004312718.tif 000004
【図３】
2004312718.tif 000005
【図４】
2004312718.tif 000006
【図５】
2004312718.tif 000007
【図６】
2004312718.tif 000008
【図７】
2004312718.tif 000009
【図８】
2004312718.tif 000010
【図９】
2004312718.tif 000011
【図１０】
2004312718.tif 000012
【図１１】
2004312718.tif 000013
【図１２】
2004312718.tif 000014
【図１３】
2004312718.tif 000015